(57)【要約】      （修正有）【課題】記録媒体の種類の判別において、より多くの記録媒体の種類の判別に対応できる装置を提供する。【解決手段】記録媒体判別装置は発光受光部１０及び記録媒体判別部２０よりなる。発光受光部１０は、記録媒体Ｍを内部に通過させるための筐体１１、筐体１１の内部に設けられた発光部１２、及び正反射光センサ１３、散乱反射光センサ１４、正透過光センサ１５及び散乱透過光センサ１６の受光部よりなる。発光部１２は２つの異なる波長の入射光Ｌ１、Ｌ２を記録媒体Ｍの表面に所定の入射角θで入射させ、正反射光センサ１３、散乱反射光センサ１４、正透過光センサ１５、散乱透過光センサ１６で得られた異なる波長における検出値に基づいて、記録媒体Ｍの種類を判別する。【選択図】図１
2014025864.tif 000002
【特許請求の範囲】
【請求項１】
ピーク波長の異なる第１、第２の光を記録媒体の表面に照射する発光部と、
前記第１、第２の光の前記記録媒体の表面からの第１、第２の反射光を受光しかつ前記第１、第２の光の前記記録媒体を透過した第１、第２の透過光を受光する受光部と、
前記第１、第２の反射光及び前記第１、第２の透過光に基づいて前記記録媒体の種類を判別する記録媒体判別部と
を具備する記録媒体判別装置。
【請求項２】
前記受光部は、
前記第１、第２の光の前記記録媒体の表面からの第１、第２の正反射光を受光する正反射光センサと、
前記第１、第２の光の前記記録媒体の表面からの第１、第２の散乱反射光を受光する散乱反射光センサと、
前記第１、第２の光の前記記録媒体の裏面からの第１、第２の正透過光を受光する正透過光センサと、
前記第１、第２の光の前記記録媒体の裏面からの第１、第２の散乱透過光を受光する散乱透過光センサと
を具備する請求項１に記載の記録媒体判別装置。
【請求項３】
前記第１、第２の正反射光は前記第１、第２の光の前記記録媒体の表面の入射角と同一角の反射角で反射し、
前記第１、第２の散乱反射光は前記第１、第２の光の前記記録媒体の表面の入射角と異なる角の反射角で反射し、
前記第１、第２の正透過光は前記第１、第２の光の前記記録媒体の裏面の前記入射角の延長上の透過角で透過し、
前記第１、第２の散乱透過光は前記第１、第２の光の前記記録媒体の裏面の前記入射角と異なる角の透過角で透過する、
請求項２に記載の記録媒体判別装置。
【請求項４】
前記正反射光センサ及び前記散乱反射光センサを単一の反射光センサとし、
前記正透過光センサ及び前記散乱透過光センサを単一の透過光センサとし、
さらに、前記単一の反射光センサ及び前記透過光センサを前記受光部に対して回転させる回転手段を具備する請求項２に記載の記録媒体判別装置。
【請求項５】
前記回転手段は、
前記単一の反射光センサ及び前記単一の透過光センサを回転可能に固定する円弧部材と、
該円弧部材を回転させるためのソレノイドと
を具備する請求項４に記載の記録媒体判別装置。
【請求項６】
前記記録媒体判別部は、
前記第１の光の前記第１の正反射光の強度／前記第１の散乱反射光の強度比を演算する演算部と、
前記第１の光の前記第１の正透過光の強度／前記第１の散乱透過光の強度比を演算する演算部と、
前記第２の光の前記第２の正反射光の強度／前記第２の散乱反射光の強度比を演算する演算部と、
前記第２の光の前記第２の透過反射光の強度／前記第２の散乱透過光の強度比を演算する演算部と、
前記第１の正反射光の強度／前記第１の散乱反射光の強度比、前記第１の正透過光の強度／前記第１の散乱透過光の強度比、前記第２の正反射光の強度／前記第２の散乱反射光の強度比及び前記第２の正透過光の強度／前記第２の散乱透過光の強度比に基づいて前記記録媒体の種類を判別する判別部と
を具備する請求項２に記載の記録媒体判別装置。
【請求項７】
前記判別部は、
前記第１の正反射光の強度／前記第１の散乱反射光の強度比、前記第１の正透過光の強度／前記第１の散乱透過光の強度比、前記第２の正反射光の強度／前記第２の散乱反射光の強度比及び前記第２の正透過光の強度／前記第２の散乱透過光の強度比によって定まるデータと、予め設定された複数の記録媒体の種類の参照データとの各距離を演算する距離演算部と、
該演算された前記各距離から最小の距離を有する記録媒体の種類を選択する種類選択部と
を具備する請求項６に記載の記録媒体判別装置。
【請求項８】
前記各距離はマハラノビス距離である請求項７に記載の記録媒体判別装置。
【請求項９】
前記各距離はユークリッド距離である請求項７に記載の記録媒体判別装置。
【請求項１０】
前記発光部は、
前記第１の光を発生する第１の発光素子と、
前記第２の光を発生する第２の発光素子と
を１つのパッケージ内に具備する請求項１に記載の記録媒体判別装置。
【発明の詳細な説明】
【技術分野】
【０００１】
本発明はインクジェット方式、電子写真方式等の記録装置に用いられる記録媒体判別装置に関する。
【０００２】
たとえば、インクジェット方式記録装置（インクジェットプリンタ）においては、吐出されたインクの吸収性能が異なる多種多様な記録媒体を用いると、記録媒体の種類によって画質に影響が出る。このため、インクジェットプリンタは記録開始前に記録媒体の種類を判別し、この判別結果に基づいて記録動作をたとえばインク吐出量を制御するように構成されている。
【０００３】
従来の記録媒体判別装置は、ピーク波長の異なる２つの光たとえば紫外光及び赤外光を記録媒体に照射する発光部と、紫外光及び赤外光の記録媒体の表面からの正反射光及び散乱反射光を受光する受光部と、紫外光の正反射光／散乱反射光比及び赤外光の正反射光／散乱反射光比に基づいて記録媒体の種類の判別する判別部とを備えている（参照：特許文献１）。
【先行技術文献】
【特許文献】
【０００４】
【特許文献１】特開２００５−３１５８５６号公報
【発明の概要】
【発明が解決しようとする課題】
【０００５】
しかしながら、上述の従来の記録媒体判別装置においては、記録媒体の表面からの正反射光及び散乱反射光による記録媒体の種類の判別は、紫外光の正反射光／散乱反射光比及び赤外光の正反射光／散乱反射光比の２つのパラメータによる判別であるので、より多くの記録媒体の種類の判別に対応できないという課題がある。
【０００６】
たとえば、紫外光の正反射光の光強度をIa1’、散乱反射光の光強度をIb1’とし、赤外光の正反射光の光強度をIa2’、散乱反射光の光強度をIb2’とすると、２つのパラメータ（Ia1’/Ib1’、 Ia2’/Ib2’）のみに基づいて記録媒体の種類を判別するので、判別される記録媒体の種類は少ない。
【０００７】
すなわち、記録媒体の表面からの正反射光及び散乱反射光だけでは、記録媒体の厚み方向の情報たとえば２層等の複層構造、水分含有量等の情報を得ることができないので、より多くの記録媒体の種類の判別に対応できない。
特に、電子写真式記録装置（レーザプリンタ）は、トナーを加熱して定着するもので、厚さの異なる記録媒体の種類に基づいて定着時間及び／または温度を制御する必要がある。また、塗工紙（コートティング紙）の場合には、塗工層（コーティング層）へ熱溶融、水分によるブリスタ現象が発生するので専用の熱定着を行わなければならない。従って、より多くの記録媒体の種類に対応しなければならない要求がある。
【課題を解決するための手段】
【０００８】
上述の課題を解決するために、本発明に係る記録媒体判別装置は、ピーク波長の異なる第１、第２の光を記録媒体の表面に照射する発光部と、第１、第２の光の記録媒体の表面からの第１、第２の反射光を受光しかつ第１、第２の光の記録媒体を透過した第１、第２の透過光を受光する受光部と、第１、第２の反射光及び第１、第２の透過光に基づいて記録媒体の種類を判別する記録媒体判別部とを具備するものである。
【０００９】
また、上述の受光部は、第１、第２の光の記録媒体の表面からの第１、第２の正反射光を受光する正反射光センサと、第１、第２の光の記録媒体の表面からの第１、第２の散乱反射光を受光する散乱反射光センサと、第１、第２の光の記録媒体の裏面からの第１、第２の正透過光を受光する正透過光センサと、第１、第２の光の記録媒体の裏面からの第１、第２の散乱透過光を受光する散乱透過光センサとを具備する。
【００１０】
さらに、上述の記録媒体判別部は、第１の光の第１の正反射光の強度／第１の散乱反射光の強度比を演算する演算部と、第１の光の第１の正透過光の強度／第１の散乱透過光の強度比を演算する演算部と、第２の光の第２の正反射光の強度／第２の散乱反射光の強度比を演算する演算部と、第２の光の第２の透過反射光の強度／第２の散乱透過光の強度比を演算する演算部と、第１の正反射光の強度／第１の散乱反射光の強度比、第１の正透過光の強度／第１の散乱透過光の強度比、第２の正反射光の強度／第２の散乱反射光の強度比及び第２の正透過光の強度／第２の散乱透過光の強度比に基づいて記録媒体の種類を判別する判別部とを具備する。
【発明の効果】
【００１１】
本発明によれば、第１、第２の光の反射光に加えて第１、第２の光の透過光に基づいて記録媒体の種類を判別するので、判別される記録媒体の種類を増大できる。たとえば、第１の光の正反射光の光強度をIa1とし、第１の光の散乱反射光の光強度をIb1とし、第１の光の正透過光の光強度をIc1とし、第１の光の散乱透過光の光強度をId1とし、第２の光の正反射光の光強度をIa2とし、第２の光の散乱反射光の光強度をIb2とし、第２の光の正透過光の光強度をIc2とし、第２の光の散乱透過光の光強度をId2とすると、４つのパラメータ（Ia1/Ib1、 Ic1/Id1、 Ia2/Ib2、 Ic2/Id2）に基づいて記録媒体の種類を判別するので、判別される記録媒体の種類を増大できる。
【図面の簡単な説明】
【００１２】
【図１】本発明に係る記録媒体判別装置の第１の実施の形態を示す図である。
【図２】図１の発光部の第１の例を示し、（Ａ）は上面図、（Ｂ）は側面断面図である。
【図３】図１の発光部の第２の例を示し、（Ａ）は上面図、（Ｂ）は側面断面図である。
【図４】図１の記録媒体判別装置の動作に用いられる記録媒体のマハラノビス距離用参照データの例を示すテーブルである。
【図５】図１の制御回路の動作を説明するためのフローチャートである。
【図６】本発明に係る記録媒体判別装置の第２の実施の形態を示す図であって、ソレノイドのオフ状態を示す。
【図７】本発明に係る記録媒体判別装置の第２の実施の形態を示す図であって、ソレノイドのオン状態を示す。
【図８】図６、図７の制御回路の動作を説明するためのフローチャートである。
【発明を実施するための形態】
【００１３】
図１は本発明に係る記録媒体判別装置の第１の実施の形態を示す図である。
【００１４】
図１において、記録媒体判別装置は発光受光部１０及び記録媒体判別部２０よりなる。
【００１５】
発光受光部１０は、記録媒体Ｍを内部に通過させるための筐体１１、筐体１１の内部に設けられた発光部１２、及び正反射光センサ１３、散乱反射光センサ１４、正透過光センサ１５及び散乱透過光センサ１６よりなる受光部よりなる。
【００１６】
発光部１２は２つの異なる波長の入射光Ｌ１、Ｌ２を記録媒体Ｍの表面に所定の入射角θたとえば60°で入射させる。
【００１７】
発光部１２は、たとえば、波長400〜450nmの紫色から青色の青紫光Ｌ１を発生する発光ダイオード（LED）素子及び波長700〜800nmの近赤外光Ｌ２を発生するLED素子を同一パッケージ内に形成した二波長LEDユニットである。たとえば、図２に示すように、青紫色LED素子２０１及び近赤外LED素子２０２を樹脂レンズ２０３を介して青紫光Ｌ１、近赤外光Ｌ２を出射するもの、あるいは、図３に示すように、絶縁基板３０１の裏面に青紫色LED素子３０２及び近赤外LED素子３０３を設け、凹面反射鏡３０４によって絶縁基板３０１のアパーチャ３０１ａを介して凸レンズ３０５から青紫光Ｌ１及び近赤外光Ｌ２を出射するものがある。いずれも二波長の青紫光Ｌ１及び近赤外光Ｌ２を記録媒体Ｍの入射角に対して同一入射角で入射するように配置するものである。尚、図２、図３の２０４、３０６はリードフレームである。
【００１８】
正反射光センサ１３は記録媒体Ｍの表面において入射角θと反対の同一角の反射角θで反射した正反射光の光強度Iaを検出し、散乱反射光センサ１４は記録媒体Ｍの表面において入射角θの大きさと異なる反射角たとえば垂直に反射した散乱光の光強度Ibを検出し、正透過光センサ１５は記録媒体Ｍの裏面において入射角θの延長上の透過角θで透過した正透過光の光強度Icを検出し、散乱透過光センサ１６は記録媒体Ｍの裏面において透過角θと異なる角たとえば垂直に透過した散乱透過光の光強度Idを検出する。
【００１９】
正反射光センサ１３、散乱反射光センサ１４、正透過光センサ１５及び散乱透過光センサ１６はたとえば同一のシリコンフォトダイオードによって構成されている。シリコンフォトダイオードは感度領域が400nm以上で最大感度波長が900nm付近であり、温度上昇があって最大感度波長900nmが短波長側へシフトしても、波長400〜450nmの青紫光Ｌ１及び波長700〜800nmの近赤外光Ｌ２の波長領域を包含できるように構成されている。
【００２０】
図１の記録媒体判別部２０は、発光部１２の青紫色LED素子２０１（３０２）、近赤外LED素子２０２（３０３）に供給する駆動電流I1、I2を発生するための定電流型駆動回路２１の駆動電流I1、I2を青紫色LED素子２０１（３０２）、近赤外LED素子２０２（３０３）に選択して供給するセレクタ２２、正反射光センサ１３の光強度Iaを電圧Vaに変換する増幅器２３、散乱反射光センサ１４の光強度Ibを電圧Vbに変換する増幅器２４、正透過光センサ１５の光強度Icを電圧Vcに変換する増幅器２５、散乱透過光センサ１６の光強度Idを電圧Vdに変換する増幅器２６、及びマイクロコンピュータよりなる制御回路２７により構成される。
【００２１】
制御回路２７は、定電流型駆動回路２１に駆動電圧V0を供給するディジタル／アナログ（D/A）変換器２７１、電圧Va、Vｂ、Vc、Vdをアナログ／ディジタル（A/D）変換するセレクタ内蔵A/D変換器２７２、演算処理を行う中央処理装置（CPU）２７３、プログラム、定数等を記憶するリードオンリメモリ（ROM）２７４、一時的なデータを記憶するランダムアクセスメモリ（RAM）２７５、共有バス２７６、セレクタ２２を制御する出力ポート２７７等により構成されている。
【００２２】
次に、本発明の実施の形態で用いられる記録媒体Ｍを説明するが、これらに限るものでない。
１．普通紙：化学パルプを含む洋紙。特に、化学パルプ配合率が40％未満のものを更紙、化学パルプ配合率が100％のものを上質紙と呼ぶ。
２．光沢紙：普通紙に比較して印刷した場合のインクのにじみが少なく、インクジェットプリンタで写真を印刷する用途に特に適している。多層構造であり、その表層は光沢の質感を出すコーティングを施されている。また、近年、蒸発する水分を高速に通気する機能を高めたレーザプリンタ用の光沢紙もある。いずれの光沢紙においても、散乱反射成分は正反射成分に比較して小さくなる。
３．マット紙：紙の表面につやのためにコーティングを施した光沢のない印刷用紙。正反射成分が散乱反射成分に比較して小さくなる。
４．合成紙：合成樹脂を主原料として製造されたパルプを含まない“紙”である。外観や風合いは木材パルス紙によく似ているが、紙、合成樹脂フィルムを兼ねた特性を有するものが多い。
尚、一般的に、光沢紙、マット紙のようなコーティング層を有する紙は、白色度を増加させるために、蛍光増色剤を含んでいる。この蛍光増色剤は紫外光を受けて青色領域の蛍光を発することで黄色味を帯びた原紙と補色作用とにより視感白色度を増加させるものである。
【００２３】
正透過光、散乱透過光の光は、記録媒体の中で散乱してその光強度Ic、Idが低下するので、記録媒体Ｍの厚さ、材質、添加剤等に依存する。
【００２４】
また、正透過光、散乱透過光の受光角度については、透過光が記録媒体Ｍの中で散乱しても、受光角度0°（垂直）で最大であり、垂直以外の受光角度での光強度は記録媒体Ｍの種類に応じて変化する。たとえば、普通紙、マット紙では大きく変化し、光沢紙、合成紙では小さく変化する傾向にある。
【００２５】
さらに、正透過光、散乱透過光の光強度は、入射角度θによる影響を受けにくく、また、受光角度に対するピーク値は存在しない。
【００２６】
以上から、正透過光の受光角度は入射角θの延長上の角度60°とし、散乱透過光の受光角度を0°（垂直）とする。
【００２７】
記録媒体Ｍのマハラノビス距離用参照データとして、上述の普通紙、光沢紙、マット紙、合成紙、及び普通紙より厚めで腰のある青みがかった青色波長領域の反射率が大きい特別の普通紙２の正反射光センサ１３の光強度Ia1、Ia2、散乱反射光センサ１４の光強度Ib1、Ib2、正透過光センサ１５の光強度Ic1、Ic2、散乱透過光センサ１６の光強度Id1、Id2を求め、比Ia1/Ib1、Ia2/Ib2、Ic1/Id1、Ic2/Id2の演算結果の分布を図４に示す。尚、図４において、Ia1、Ib1、Ic1、Id1はλ=440nmの青紫色LED素子２０１（３０２）の発光時、Ia2、Ib2、Ic2、Id2はλ=720nmの近赤外LED素子２０２（３０３）の発光時の正反射光センサ１３、散乱反射光センサ１４、正透過光センサ１５及び散乱透過光センサ１６によって受光された光の光強度である。
【００２８】
普通紙、光沢紙、マット紙、合成紙、普通紙２のマハラノビス距離用参照データである図４の４つのパラメータ（Ia1/Ib1、Ia2/Ib2、Ic1/Id1、Ic2/Id2）はその分布と共にその特徴分布中心によって特徴付けられ、制御回路２７のＲＯＭ２７４に予め記憶されている。
【００２９】
次に、図１の制御回路２７の動作を図５のフローチャートを参照して説明する。尚、図５のフローチャートは記録媒体Ｍが図示しない検知手段によって筐体１１内に入るのが検知される毎にスタートする。
【００３０】
始めに、ステップ５０１にて、制御回路２７は定電流型駆動回路２１及びセレクタ２２を動作させて所定の駆動電流I1を青紫色LED素子２０１（３０２）に供給する。この結果、青紫色LED素子２０１（３０２）からの青紫光Ｌ１が記録媒体Ｍに照射される。
【００３１】
次に、ステップ５０２にて、制御回路２７は正反射光センサ１３、散乱反射光センサ１４、正透過光センサ１５及び散乱透過光センサ１６から青紫光Ｌ１を入射光とする正反射光の光強度Ia1、散乱反射光の光強度Ib1、正透過光の光強度Ic1及び散乱透過光の光強度Id1を増幅器２３、２４、２５、２６を介して取り込む。
【００３２】
次に、ステップ５０３にて、制御回路２７は定電流型駆動回路２１及びセレクタ２２を動作させて駆動電流I1を所定の駆動電流I2を切換えて近赤外LED素子２０２（３０３）に供給する。この結果、近赤外LED素子２０２（３０３）からの近赤外光Ｌ２が記録媒体Ｍに照射される。
【００３３】
次に、ステップ５０４にて、制御回路２７は正反射光センサ１３、散乱反射光センサ１４、正透過光センサ１５及び散乱透過光センサ１６から近赤外光Ｌ２を入射光とする正反射光の光強度Ia2、散乱反射光の光強度Ib2、正透過光の光強度Ic2及び散乱透過光の光強度Id2を増幅器２３、２４、２５、２６を介して取り込む。そして、駆動電流I2をオフにする。
【００３４】
次に、ステップ５０５にて、制御回路２７は青紫光Ｌ１に対する
正反射光強度Ia1／散乱反射光強度Ib1比
正透過光強度Ic1／散乱透過光強度Id1比
を演算すると共に、近赤外光Ｌ２に対する
正反射光強度Ia2／散乱反射光強度Ib2比
正透過光強度Ic2／散乱透過光強度Id2比
を演算する。つまり、４つのパラメータ（Ia1/Ib1、Ic1/Id1、Ia2/Ib2、Ic2/Id2）を演算する。
【００３５】
次に、ステップ５０６にて、ステップ５０５にて得られた４つのパラメータ（Ia1/Ib1、Ic1/Id1、Ia2/Ib2、Ic2/Id2）と、リードオンリメモリ２７４に予め記憶された図４に示す記録媒体Ｍの各種類のマハラノビス距離用参照データとの各マハラノビス距離を演算する。
【００３６】
次に、ステップ５０７にて、ステップ５０６にて得られたマハラノビス距離が最小である記録媒体Ｍの種類を選択する。
【００３７】
そして、ステップ５０８にてこのルーチンは終了する。このようにして記録媒体Ｍの種類を判別する。
【００３８】
図６、図７は本発明に係る記録媒体判別装置の第２の実施の形態を示す図あって、図６はソレノイドのオフ状態、図７はソレノイドのオン状態を示す。
【００３９】
図６、図７においては、図１の筐体１１の代りに、筐体６１を設け、この筐体６１内に円弧部材６２を回転可能に収納し、円弧部材６２の突起６２ａをソレノイド６３の弁６３ａによって押し上げて円弧部材６２を回転させるように構成されている。
【００４０】
筐体６１には、図１の発光部１２が固定され、円弧部材６２には、図１の正反射光センサ１３及び散乱反射光センサ１４の両作用をする反射光センサ６４及び図１の正透過光センサ１５及び散乱透過光センサ１６の両作用をする透過光センサ６５が固定されている。つまり、反射光センサ６４及び透過光センサ６５は発光部１２に対してソレノイド６３によって回転可能となっている。
【００４１】
すなわち、ソレノイド６３がオフ状態であれば、図６に示すごとく、反射光センサ６４は図１の正反射光センサ１３の作用をし、透過光センサ６５は図１の散乱透過光センサ１６の作用をする。他方、ソレノイド６３がオン状態であれば、図７に示すごとく、円弧部材６２の突起６２ａがソレノイド６３のソレノイド弁６３ａによって回転し、反射光センサ６４は図１の散乱反射光センサ１４の作用をし、透過光センサ６５は図１の正透過光センサ１５の作用をする。
【００４２】
また、記録媒体判別部２０には、ソレノイド６３を駆動するための駆動回路２８が付加されており、この駆動回路２８は出力ポート２７８が付加された制御回路２７によって制御される。
【００４３】
また、図６、図７において、図１の正反射光センサ１３及び散乱反射光センサ１４が１つの反射光センサ６４に置換されたので、図１の記録媒体判別部２０の増幅器２４が削除され、同様に、図１の正透過光センサ１５及び散乱透過光センサ１６が１つの透過光センサ６５に置換されたので、図１の記録媒体判別部２０の増幅器２６が削除されている。
【００４４】
次に、図６、図７の制御回路２７の動作を図８のフローチャートを参照して説明する。尚、図８のフローチャートは記録媒体Ｍが図示しない検知手段によって筐体１１内に入るのが検知される毎にスタートする。また、ソレノイド６３は図６のオフ状態に初期化されているものとする。
【００４５】
始めに、ステップ８０１にて、制御回路２７は定電流型駆動回路２１及びセレクタ２２を動作させて所定の駆動電流I1を青紫色LED素子２０１（３０２）に供給する。この結果、青紫色LED素子２０１（３０２）からの青紫光Ｌ１が記録媒体Ｍに照射される。
【００４６】
次に、ステップ８０２にて、制御回路２７は反射光センサ６４及び透過光センサ６５から青紫光Ｌ１を入射光とする正反射光の光強度Ia1及び散乱透過光の光強度Id1を増幅器２３、２５を介して取り込む。
【００４７】
次に、ステップ８０３にて、制御回路２７は定電流型駆動回路２１及びセレクタ２２を動作させて駆動電流I1を所定の駆動電流I2に切換えて近赤外LED素子２０２（３０３）に供給する。この結果、近赤外LED素子２０２（３０３）からの近赤外光Ｌ２が記録媒体Ｍに照射される。
【００４８】
次に、ステップ８０４にて、制御回路２７は反射光センサ６４及び透過光センサ６５から近赤外光Ｌ２を入射光とする正反射光の光強度Ia2及び散乱透過光の光強度Id2を増幅器２３、２５を介して取り込む。
【００４９】
次に、ステップ８０５にて、ソレノイド６３を図７のオン状態にする。これにより、ソレノイド６３のソレノイド弁６３ａによって円弧部材６２の突起６２ａを押し上げて円弧部材６２を回転させる。
【００５０】
次に、ステップ８０６にて、制御回路２７は反射光センサ６４及び透過光センサ６５から近赤外光Ｌ２を入射光とする散乱反射光の光強度Ib2及び正透過光の光強度Ic2を増幅器２３、２５を介して取り込む。
【００５１】
次に、ステップ８０７にて、制御回路２７は定電流型駆動回路２１及びセレクタ２２を動作させて駆動電流I2を所定の駆動電流I1を切換えて青紫色LED素子２０１（３０２）に供給する。この結果、青紫色LED素子２０１（３０２）からの青紫光Ｌ１が記録媒体Ｍに照射される。
【００５２】
次に、ステップ８０８にて、制御回路２７は反射光センサ６４及び透過光センサ６５から青紫光Ｌ１を入射光とする散乱反射光の光強度Ib1及び正透過光の光強度Ic1を増幅器２３、２５を介して取り込む。そして、駆動電流I1をオフにする。
【００５３】
次に、ステップ８０９にて、制御回路２７は青紫光Ｌ１に対する
正反射光強度Ia1／散乱反射光強度Ib1比
正透過光強度Ic1／散乱透過光強度Id1比
を演算すると共に、近赤外光Ｌ２に対する
正反射光強度Ia2／散乱反射光強度Ib2比
正透過光強度Ic2／散乱透過光強度Id2比
を演算する。つまり、４つのパラメータ（Ia1/Ib1、Ic1/Id1、Ia2/Ib2、Ic2/Id2）を演算する。
【００５４】
次に、ステップ８１０にて、ステップ８０９にて得られた４つのパラメータ（Ia1/Ib1、Ic1/Id1、Ia2/Ib2、Ic2/Id2）と、リードオンリメモリ２７４に予め記憶された図４に示す記録媒体Ｍの各種類のマハラノビス距離用参照データとの各マハラノビス距離を演算する。
【００５５】
次に、ステップ８１１にて、ステップ８１０にて得られたマハラノビス距離が最小である記録媒体Ｍの種類を選択する。
【００５６】
そして、ステップ８１２にてこのルーチンは終了する。このようにして記録媒体Ｍの種類を判別する。
【００５７】
上述のごとく判別された記録媒体Ｍの種類は記録装置本体の制御部（図示せず）に送られ、インクジェットプリンタであれば、インク吐出量が制御され、レーザプリンタであれば、定着時間及び／または時間が制御されることになる。
【００５８】
尚、上述の実施の形態においては、マハラノビス距離を用いて記録媒体Ｍの種類を判別しているが、精度が低くなるが、ユークリッド距離を用いてもよい。この場合、図４の参照データは特徴分布中心のみによって特徴付けられる。
【符号の説明】
【００５９】
１０：発光受光部
１１：筐体
１２：発光部
１３：正反射光センサ
１４：散乱反射光センサ
１５：正透過光センサ
１６：散乱透過光センサ
２０：記録媒体判別部
２１：定電流型駆動回路
２２：セレクタ
２３、２４、２５、２６：増幅器
２７：制御回路
２８：駆動回路
６１：筐体
６２：円弧部材
６２ａ：突起
６３：ソレノイド
６３ａ：ソレノイド弁
２０１、３０２：青紫色LED素子
２０２、３０３：近赤外LED素子
【図１】
2014025864.tif 000003
【図２】
2014025864.tif 000004
【図３】
2014025864.tif 000005
【図４】
2014025864.tif 000006
【図５】
2014025864.tif 000007
【図６】
2014025864.tif 000008
【図７】
2014025864.tif 000009
【図８】
2014025864.tif 000010